(57)【要約】【課題】洗浄水の噴射により食器類の洗浄を行う食器洗い機において、給水ホース接続部と給水連結部の螺合時の位置合わせが容易で、かつ確実に正規に螺合できて設置作業性がよく、高品質の食器洗い機を提供する。【解決手段】食器洗い機本体１２に収容した洗浄槽１３内に給水経路２２により給水し、洗浄槽１３に連結した給水経路２２の給水連結部１９を食器洗い機本体１２または食器洗い機本体１２を支持する台枠部１５に設け、この給水連結部１９に給水ホース１６の一端側に設けた給水ホース接続部１７を接続する。給水連結部１９は、給水ホース接続部１７の雌ねじ部を螺合する雄ねじ部を有し、かつ、この雄ねじ部の周囲に雌ねじ部の螺合方向を案内するガイド部１８を設ける。【選択図】  図１
2004222975.tif 000002
【特許請求の範囲】
【請求項１】
洗浄槽を収容した食器洗い機本体と、前記洗浄槽内に給水する給水経路と、前記食器洗い機本体または食器洗い機本体を支持する台枠部に設け前記洗浄槽に連結した前記給水経路の給水連結部と、この給水連結部に一端側に設けた給水ホース接続部を接続する給水ホースとを備え、前記給水連結部は、給水ホース接続部の雌ねじ部を螺合する雄ねじ部を有し、かつ、この雄ねじ部の周囲に前記雌ねじ部の螺合方向を案内するガイド部を設けた食器洗い機。
【請求項２】
ガイド部は、雌ねじ部の螺合を妨げない高さ寸法に設定した請求項１記載の食器洗い機。
【請求項３】
ガイド部は、食器洗い機本体または台枠部に形成した略円筒部の内壁に給水連結部を案内する第１のリブと、給水ホース接続部の外周を案内する第２のリブとを設けた請求項１または２記載の食器洗い機。
【発明の詳細な説明】
【０００１】
【発明の属する技術分野】
本発明は、洗浄水の噴射により食器類の洗浄を行う食器洗い機に関する。
【０００２】
【従来の技術】
従来、この種の食器洗い機は、図３および図４に示すように構成していた。以下、その構成について説明する。
【０００３】
図３に示すように、食器洗い機本体１は、内部に洗浄槽２を設け、この洗浄槽２の前面を扉体３により開閉するよう構成している。食器洗い機本体１の下部には、これを支持する台枠部４を設け、この台枠部４の後部に設けた孔部に給水ホース５の一端側に設けた給水ホース接続部６と螺合する給水連結部７を設けている。
【０００４】
また、図４に示すように、雌ねじ部を有する給水ホース接続部６と雄ねじ部を有する給水連結部７を螺合することで、シール部材８により、給水ホース５と給水連結部７の間がシールされる。給水ホース接続部６の外周には、手で容易に螺合できるよう複数の突起で構成した取っ手部９を形成している。給水連結部７の他端に給水弁１０を設けており、給水経路１１を介して洗浄槽２内へ流入する水を制御している（例えば、特許文献１参照）。
【０００５】
食器洗い機の基本的な動作は、一般的によく知られているので、以下に簡単に述べる。通常、給水ホース５は製品に同梱されているので、使用者は食器洗い機設置時に給水ホース接続部６を給水連結部７に接続し、給水ホース５の他端を水道に接続する。その後、扉体３を開放し、食器洗い機本体１内の洗浄槽２に食器類をセットし、扉体３を閉塞した後、運転を開始し食器類の洗浄、乾燥を行う。
【０００６】
【特許文献１】
特開平１１―２２５９３７号公報
【０００７】
【発明が解決しようとする課題】
このような従来の構成では、給水連結部７が食器洗い機本体１の背面下部に配設されており、給水ホース接続部６の取付け作業が困難な位置にあるため、給水ホース接続部６の雌ねじ部と給水連結部７の雄ねじ部を正規に螺合させるための位置合わせが煩わしいという問題を有していた。
【０００８】
また、給水ホース接続部６が給水連結部７へ正規に螺合されなかった場合、完全なシールができないため、給水ホース接続部６と給水連結部７の連結部から水が漏れてしまうという問題を有していた。
【０００９】
さらに、給水ホース接続部６と給水連結部７の少なくとも一方が樹脂製の場合、一旦不正規に螺合してしまうと、ねじ部が潰れてしまい、再度螺合し直そうとしても正規な螺合ができないという問題を有していた。
【００１０】
本発明は上記従来の課題を解決するもので、給水ホース接続部と給水連結部の螺合時の位置合わせが容易で、かつ確実に正規に螺合できて設置作業性がよく、高品質の食器洗い機を提供することを目的としている。
【００１１】
【課題を解決するための手段】
本発明は上記目的を達成するために、食器洗い機本体に収容した洗浄槽内に給水経路により給水し、洗浄槽に連結した給水経路の給水連結部を食器洗い機本体または食器洗い機本体を支持する台枠部に設け、この給水連結部に給水ホースの一端側に設けた給水ホース接続部を接続するよう構成し、給水連結部は、給水ホース接続部の雌ねじ部を螺合する雄ねじ部を有し、かつ、この雄ねじ部の周囲に雌ねじ部の螺合方向を案内するガイド部を設けたものである。
【００１２】
これにより、給水ホース接続部を給水連結部に螺合する際、給水ホース接続部がねじ部の螺合方向に案内されるため、螺合時の位置合わせが容易で、かつ確実に正規に螺合できて設置作業性がよく、高品質の食器洗い機を提供することができる。
【００１３】
【発明の実施の形態】
本発明の請求項１に記載の発明は、洗浄槽を収容した食器洗い機本体と、前記洗浄槽内に給水する給水経路と、前記食器洗い機本体または食器洗い機本体を支持する台枠部に設け前記洗浄槽に連結した前記給水経路の給水連結部と、この給水連結部に一端側に設けた給水ホース接続部を接続する給水ホースとを備え、前記給水連結部は、給水ホース接続部の雌ねじ部を螺合する雄ねじ部を有し、かつ、この雄ねじ部の周囲に前記雌ねじ部の螺合方向を案内するガイド部を設けたものであり、給水ホース接続部を給水連結部に螺合する際、給水ホース接続部がねじ部の螺合方向に案内されるため、螺合時の位置合わせが容易で、かつ確実に正規に螺合できて設置作業性がよく、高品質の食器洗い機を提供することができる。
【００１４】
請求項２に記載の発明は、上記請求項１に記載の発明において、ガイド部は、雌ねじ部の螺合を妨げない高さ寸法に設定したものであり、給水ホース接続部をシール部材と給水ホースが確実に密着する位置まで螺合させることが可能となり、給水ホース接続部と給水連結部の連結部からの水漏れが起こることがなく、高品質な食器洗い機を提供することができる。
【００１５】
請求項３に記載の発明は、上記請求項１または２に記載の発明において、ガイド部は、食器洗い機本体または台枠部に形成した略円筒部の内壁に給水連結部を案内する第１のリブと、給水ホース接続部の外周を案内する第２のリブとを設けたものであり、第１のリブにより給水連結部の取付け位置が正確に決まり、第２のリブにより給水ホース接続部がねじ部の螺合方向に案内されるため、給水ホース接続部をより確実に正規に螺合できて設置作業性がよく、高品質の食器洗い機を提供することができる。
【００１６】
【実施例】
以下、本発明の一実施例について、図面を参照しながら説明する。
【００１７】
図２に示すように、食器洗い機本体１２は、内部に洗浄槽１３を設け、この洗浄槽１３の前面を扉体１４により開閉するよう構成している。食器洗い機本体１２の下部には、これを支持する台枠部１５を設け、この台枠部１５の後部に設けた孔部に給水ホース１６の一端側に設けた給水ホース接続部１７の螺合を案内するガイド部１８を形成している。
【００１８】
また、図１に示すように、雌ねじ部を有する給水ホース接続部１７と雄ねじ部を有する給水連結部１９を螺合することで、シール部材２０により、給水ホース１６と給水連結部１９との間がシールされる。給水連結部１９の他端に給水弁２１を設けており、給水経路２２を介して洗浄槽１３内へ流入する水を制御している。
【００１９】
ガイド部１８は、台枠部１５に形成した略円筒部２３の内壁に、給水連結部１９の位置決めを行う第１のリブ２４と、給水ホース接続部１７をその螺合方向に案内する第２のリブ２５を放射状に数本設けている。なお、第２のリブ２５と給水ホース接続部１７の外周との隙間は、給水ホース接続部１７を螺合方向に確実に案内し、かつ擦れて摺動抵抗とならないように設定している。
【００２０】
給水ホース接続部１７の外周には、手で容易に螺合できるよう複数の突起で構成した取っ手部２６を形成している。ガイド部１８の高さは、給水ホース接続部１７を給水連結部１９に正規位置まで螺合したとき、取っ手部２５がガイド部１８に当たらないよう設定している。
【００２１】
上記構成において作用を説明する。給水ホース１６は、給水ホース接続部１７の取っ手部２５を手で回し込み、給水ホース接続部１７を給水連結部１９に螺合させることにより食器洗い機に接続される。給水連結部１９はガイド部１８の内壁に形成した第１のリブ２４により位置決めされており、また、給水ホース接続部１７はガイド部１８の内壁に形成した第２のリブ２５により螺合方向に案内されるため、給水接続部１７の雌ねじ部を給水連結部１９の雄ねじ部へ螺合する際のねじ部の位置合わせが容易で、かつ確実に正規に螺合することができる。
【００２２】
また、ガイド部１８の高さは、給水ホース接続部１７を給水連結部１９に正規位置まで螺合したとき、取っ手部２６がガイド部１８に当たらないよう設定しており、螺合が不十分な状態で取っ手部２６がガイド部１８に先当たりすることはないので、給水ホース接続部１７と給水連結部１９の連結部はシール部材２０により確実にシールされる。
【００２３】
このように本実施例によれば、洗浄槽１３に連結した給水経路２２の給水連結部１９は、給水ホース接続部１７の雌ねじ部を螺合する雄ねじ部を有し、かつ、この雄ねじ部の周囲に雌ねじ部の螺合方向を案内するガイド部１８を設けたので、給水ホース接続部１７を給水連結部１９に螺合する際、給水ホース接続部１７がねじ部の螺合方向に案内されるため、螺合時の位置合わせが容易で、かつ確実に正規に螺合できて設置作業性がよく、高品質の食器洗い機を提供することができる。
【００２４】
また、ガイド部１８は、雌ねじ部の螺合を妨げない高さ寸法に設定したので、給水ホース接続部１７をシール部材２０と給水ホース１６が確実に密着する位置まで螺合させることが可能となり、給水ホース接続部１７と給水連結部１９の連結部からの水漏れが起こることがなく、高品質な食器洗い機を提供することができる。
【００２５】
また、ガイド部１８は、台枠部１５に形成した略円筒部２３の内壁に給水連結部１９を案内する第１のリブ２４と、給水ホース接続部１７の外周を案内する第２のリブ２５とを設けたので、第１のリブ２４により給水連結部１９の取付け位置が正確に決まり、第２のリブ２５により給水ホース接続部１７がねじ部の螺合方向に案内されるため、給水ホース接続部１７をより確実に正規に螺合できて設置作業性がよく、高品質の食器洗い機を提供することができる。
【００２６】
なお、本実施例では、ガイド部１８は、台枠部１５に形成した略円筒部２３の内壁に第１のリブ２４と第２のリブ２５を設けているが、台枠部１５を有しない食器洗い機などでは、食器洗い機本体にガイド部を設けてよく、同様の作用、効果を得ることができる。
【００２７】
また、本実施例では、ガイド部１８の内壁に設けた第２のリブ２５により、給水ホース接続部１７の螺合を案内しているが、第２のリブ２５をなくし、給水ホース接続部１７の円筒部外周にリブを設けても上述した内容と同様の作用を得ることができる。
【００２８】
【発明の効果】
以上のように、本発明の請求項１に記載の発明によれば、洗浄槽に連結した給水経路の給水連結部は、給水ホース接続部の雌ねじ部を螺合する雄ねじ部を有し、かつ、この雄ねじ部の周囲に雌ねじ部の螺合方向を案内するガイド部を設けたから、給水ホース接続部を給水連結部に螺合する際、給水ホース接続部がねじ部の螺合方向に案内されるため、螺合時の位置合わせが容易で、かつ確実に正規に螺合できて設置作業性がよく、高品質の食器洗い機を提供することができる。
【図面の簡単な説明】
【図１】本発明の一実施例の食器洗い機の要部断面図
【図２】同食器洗い機の側面図
【図３】従来の食器洗い機の側面図
【図４】同食器洗い機の要部拡大断面図
【符号の説明】
１２  食器洗い機本体
１３  洗浄槽
１５  台枠部
１６  給水ホース
１７  給水ホース接続部
１８  ガイド部
１９  給水連結部
２２  給水経路
【図１】
2004222975.tif 000003
【図２】
2004222975.tif 000004
【図３】
2004222975.tif 000005
【図４】
2004222975.tif 000006